(57)【要約】【課題】本発明の目的は、単純で経済的なコア構造をもつ横磁束機械装置（TFMA）を提供することである。【解決手段】このTFMAは、積層鉄板をもつコアを採用する。コアは、３D磁束通路を作るために、左斜め部及び右斜め部を有する。斜め部をもつ積層鉄コアを用いる複数の３D構造が、開示される。斜め部を使用することにより、コアはムカデのように見える。CTFMと呼ばれるこのムカデ状のTFMは複数のタイプをもつ。このCTFMのための複数のモータ構造及び複数のモータ駆動回路も開示される。【選択図】図３
2013236412.tif 000002
【特許請求の範囲】
【請求項１】
移動方向(PH)へ移動可能な移動コア(４U１-４W２、４U-４W、６００)に面するステータコア(２U１-２W２、２U-２W)の左ティース(２１L、 ２１１-２１３)と右ティース(２１R、２１２-２１４)との間に延在するスペースに巻かれた単相巻線(３U１-３W２、３U-３W)をもつ少なくとも１つの単相横磁束機械（TFM)を含む横磁束機械装置（TFMA）において、
前記コア（２U１-２W２、２U-２W、４U１-４W２、４U-４W）は、移動コア(４U１-４W２、４U-４W、６００)の移動方向に延在するヨーク部（２４、４４）と、斜めに延在する斜め部（２５L、４５L、２５R、４５R）とを有し、
斜め部（２５L、４５L、２５L、４５R）は、ティース（２１L、４１L、２１R、４１R）をヨーク部（２４、４４）に磁気的に接続し、
ヨーク部（２４、４４）、斜め部（２５L、４５L、２５R、４５R）及びティース（２１L、４１L、２１R、４１R）は、本質的に積層鉄板により形成されていることを特徴とする横磁束機械装置。
【請求項２】
前記コア（２U１-２W２、２U-２W、４U１-４W２、４U-４W）は、第１曲げ部及び第２曲げ部をもち、
この第１曲げ部は、ヨーク部（２４、４４）と斜め部(２５L、４５L、２５L、４５R)との間に形成され、
この第２曲げ部は、斜め部(２５L、４５L、２５L、４５R)とティース（２１L、４１L、２１R、４１R）との間に形成される請求項１記載の横磁束機械装置。
【請求項３】
斜め部（２５L、２５R、４５L、４５R）は、真っ直ぐに延在している請求項２記載の横磁束機械装置。
【請求項４】
斜め部（２５L、４５L、２５R、４５R）は、一方向へ斜めに延在する左斜め部（２５L、４５L）と、もう一つの方向へ斜めに延在する右斜め部（２５R、４５R）とを含み、
左斜め部（２５L、４５L）はそれぞれ、左ティース（２１L、４１L）をヨーク部（２４、４４）に接続し、
右斜め部（２５R、４５R）はそれぞれ、右ティース（２１R、４１R）をヨーク部（２４、４４）に接続し、
各左ティース（２１L、４１L）と各右ティース（２１R、４１R）は、移動方向（PH)へ交互に配列される請求項１記載の横磁束機械装置。
【請求項５】
コア（２U、２V、２W）は、左コア（２L）と右コア（２R）を有し、
左コア（２L）は、左ティース（２１L、２１１）と、左斜め部（２５L）と、左ヨーク部（２４L）と、移動方向（PH)へ延在する１つの長手部（２７）とを有し、
右コア（２R）は、右ティース（２１R、２１４）と、右斜め部（２５R）と、右ヨーク部（２４R）と、移動方向（PH)へ延在するもう一つの長手部（２７）とを有し、
移動方向へ交互に配列された左ヨーク部（２４L）及び右ヨーク部（２４R）は、前記ヨーク部（２４）を構成する請求項１記載の横磁束機械装置。
【請求項６】
左コア（２L）はさらに、左ティース（２１L)と長手部（２７）とを接続する下左斜め部（２５０L）を有し、
右コア（２R）はさらに、右ティース（２１R)と長手部（２７）とを接続する下右斜め部（２５０R）を有する請求項５記載の横磁束機械装置。
【請求項７】
コア（２U、２V、２W）はさらに、左コア（２L)と右コア（２R）との間に配置された少なくとも１つの中央コア（２C１、２C２）を有し、
各単相巻線（３U、３V、３W）は、各２つのコア（２L、２C１、２C２、２R）の間の各スペースに配置され、
中央コア（２C１、２C２）は、左ティース（２１L）と、左斜め部（２５L）と、左ヨーク部（２４L）と、右ティース（２１R）と、右斜め部（２５R）と、右ヨーク部（２４R）と、長手部（２７）とを有し、
長手部（２７）は、左ティース（２１L）及び右ティース（２１R）を左ヨーク部（２４L）及び右ヨーク部（２４R）に接続する請求項５記載の横磁束機械装置。
【請求項８】
中央コア（２C１、２C２）はさらに、下左斜め部（２５０L)と下右斜め部（２５０R）とを有し、
下左斜め部（２５０L)は、左ティース（２１L）と長手部（２７）とを接続し、
下右斜め部（２５０R)は、右ティース（２１R）と長手部（２７）とを接続する請求項７記載の横磁束機械装置。
【請求項９】
前記コアの斜め部（２５L、２５R、４５L、４５R）及びティース（２１L、２１R、４１L、４１R）の少なくとも１つを保持するためのティースホルダ（１a-１d）を有し、
非磁性金属材で形成されたティースホルダ（１a-１d）は、長手部（１０a）及び複数の突出部（１０T)を有し、
長手部（１０a）は、移動方向（PH）へ延在して、ヨーク部（２４、４４）及び斜め部（２５L、２５R、４５L、４５R）の少なくとも１つと接触し、
各突出部（１０T)は、移動方向（PH）において互いに隣接する２つの斜め部（２５L、２５R、４５L、４５R）の間の各スペースへ長手部（１０a）から突出し、
各突出部（１０T)は、凸部及び凹部の少なくとも1つからなる嵌合部(１９）を有し、
嵌合部(１９)は、ステータコア（２U１-２W２、２U-２W)と移動コア（４U1-４W２、４U-４W)との間のエアギャップの長さの延長及び短縮を防止するために、斜め部（２５L、２５R、４５L、４５R）及びティース（２１L、２１R、４１L、４１R）の少なくとも１つに形成された嵌合部(２９A、２９B)と嵌合している請求項１記載の横磁束機械装置。
【請求項１０】
ステータコア(２U１-２W２、２U-２W)のヨーク部（２４、４４）は、ステータコア(２U１-２W２、２U-２W)の周方向へ延在し、
ステータコア(２U１-２W２、２U-２W)のティース（２１L、 ２１R、２１１-２１４)は、ステータコア(２U１-２W２、２U-２W)の径方向内側へ延在し、
螺旋状に巻かれた単相巻線(３U１-３W２、３U-３W)は、
ステータコア(２U１-２W２、２U-２W)の軸方向へ積層されて周方向へ延在する少なくとも一枚の薄銅板で形成されている請求項１記載の横磁束機械装置。
【請求項１１】
前記単相横磁束機械（TFM)は、移動コア（４U１-４W２、４U-４W)のティース（４１L、４１R）の間のスペースに設けられた永久磁石層（６）をもつ横磁束スイッチドリラクタンス機械（TFSRM）からなり、
前記永久磁石層（６）は、N極領域（６N）とS極領域（６S)とを有し、
N極領域（６N）は、左ティース（４１L、４１L）の間に設けられ、
S極領域（６S）は、右ティース（４１R、４１R）の間に設けられる請求項１記載の横磁束機械装置。
【請求項１２】
前記単相横磁束機械（TFM)は、タンデム配列された複数の横磁束巻ロータ機械（TFWRM）からなり、
前記横磁束巻ロータ機械（TFWRM）はそれぞれ、移動コア（４U-４W）のリング状のスペースに巻かれたリング状の界磁巻線（６U、６V、６W）及びリング状の二次巻線(６０U、６０V、６０W)を有し、
前記横磁束機械装置（TFMA)は更に、二次巻線(６０U、６０V、６０W)に誘導された二次電圧を整流し、かつ、直列接続された界磁巻線（６U、６V、６W）に界磁電流を供給するための整流器(６００A)を有する請求項１記載の横磁束機械装置。
【請求項１３】
整流器(６００A)は、３つの二次巻線(６０U、 ６０V、 ６０W)を界磁巻線(６U、６V、６W)に接続する３相ダイオード整流器からなる請求項１２記載の横磁束機械装置。
【請求項１４】
前記横磁束機械装置（TFMA)は更に、前記ステータコア(２U-２W)にそれぞれ巻かれたリング状の一次界磁巻線(３０U、３０V、３０W)を有し、
一次界磁巻線(３０U、３０V、３０W)は、直列接続されている請求項１３記載の横磁束機械装置。
【請求項１５】
前記単相横磁束機械（TFM)は、籠形の二次巻線（２００、２００A）を有する横磁束誘導機械（TFIM）からなり、
前記横磁束誘導機械（TFIM）は、リラクタンストルクを発生する横磁束リラクタンス機械（TFRM）として始動される請求項１記載の横磁束機械装置。
【発明の詳細な説明】
【技術分野】
【０００１】
本発明は、横磁束機械装置（TFMA)に関する。
【０００２】
より詳しくは、本発明は、積層鉄板で形成されたコアをもつ横磁束機械装置に関する。
【背景技術】
【０００３】
高トルク/重量比、高出力/重量比及び少ない銅損をもつので、多数の極と短い電流経路をもつ横磁束機械（TFM）は、魅力的な電気機械である。米国特許第７、８３０、０５７号は、図１に示されるタンデムTFMを提案している。このTFMは、分割された多数のコア片で作られている。しかし、分割型コア構造は、磁気抵抗の増大とロバストネスの低減とを引き起こす。
【０００４】
図２は、ソフトマグネティックコンポジッツ（SMC）から作られたコアを用いるもう一つの先行TFMを示す。しかし、SMCコアの磁気特性及び頑丈さは十分ではない。電気自動車および風力タービンは、ギヤ損失及び慣性質量を低減可能なダイレクトドライブ（DD）機械を強く待ち望んでいる。しかし、高速領域での高い起電圧及び永久磁石コストのため、永久磁石をもつ先行TFMは、可変速機械にとって好適ではない。
【先行技術文献】
【特許文献】
【０００５】
【特許文献１】米国特許第７、８３０、０５７号
【発明の概要】
【０００６】
本発明の１つの目的は、積層鉄板を用いた簡素なコア構造をもつ横磁束機械装置を提供することである。本発明のもう１つの目的は、低減された損失をもつ横磁束機械装置を提供することである。発明の更にもう一つの目的は、優れたトルク特性をもつ横磁束機械装置を可変速用途に提供することである。
【０００７】
本発明の第１の様相において、横磁束機械(TFM)は、斜め部をもつ積層鉄板でできた積層コアをもつ。ヨーク部とティースとを磁気的に接続するこの斜め部は、鉄板を曲げて作られる。コアは、左ティース、右ティース、左斜め部、右斜め部及びヨーク部を有する。この斜め部をもつコアはムカデのように見えるので、このムカデ状のTFMはCTFMと呼ばれる。斜めに延在する斜め部は真っ直ぐに延在することが望ましい。斜め部とティースとの間の角度は、２５度から６５度の間の範囲にあることが望ましい。
【０００８】
しかしながら、在来のラジアル磁束機械（RFM）は長い開発の歴史をもつので、CTFMを含むTFMが在来のRFMと競争することは容易ではない。TFMの単相回転原理及びコア構造がポピュラーな３相RFMと異なるので、TFMはRFMの開発結果をストレートに利用することができない。したがって、TFMの特徴をフルに利用するために、適切なモータ構造及び適切な駆動コンバータが開発されることが望まれる。これにより、下記のようにユニークな機械構造がTFMのために開発された。
【０００９】
最初に、籠形形式の横磁束誘導機械（TFIM）が提案される。CTFMのロータの斜め部は、ステータティースによりロータティースを通じてロータの径方向へ引っ張られる。したがって、CTFMは、ロータティース及び斜め部の少なくとも１つを支持する支持部材を採用することが好適である。本発明のTFIMによれば、アルミニウム又は銅で作られた支持部材がロータティースを囲むので、支持部材は電気抵抗が非常に小さい周知の籠形導体として振る舞うことができる。そのうえ、TFMは大きな断面積と短い長さとをもつ多くのスペースをもつので、このTFIMの二次導体は更に小さい電気抵抗値をもつ。したがって、このTFIMの二次銅損は大幅に低減される。
【００１０】
けれども、TFIMは本質的に単相誘導機械であるため、TFMが始動トルクを発生するのは困難である。この問題は、TFIMが二重突極構造をもつことを利用して解決される。すなわち、本発明のTFIMは、単相シンクロナスリラクタンスモータ又は単相スイッチドリラクタンスモータとして始動される。
【００１１】
好適態様によれば、内燃機関により駆動される第１タンデムTFIMは、車輪駆動用の第２タンデムTFIMにリレーを通じて接続される。第１のタンデムTFIMの発電電流が第２のタンデムTFIMのモータ電流にほぼ等しくなった後、このリレーは開かれる。
【００１２】
次に、単相同期モータの磁石トルクを発生するための横磁束巻ロータ機械（TFWRM)が提案される。このTFWRMは、左ティースと右ティースとの間のスペースに延在する界磁巻線をもつ。さらに、タンデム配置された３つのTFWRMは、ロータに固定された３つの二次巻線及び３相全波ダイオード整流器をもつ。この整流器は、３つの二次巻線に誘起された３相二次電圧を整流した後、界磁巻線に界磁電流を給電する。界磁巻線が短い長さをもつので、界磁巻線は小さい電気抵抗をもつ。それで、界磁巻線の銅損が低減される。
【００１３】
好適態様によれば、台形波形の各電流又は基本波成分と異なる周波数をもつ各交流電流が、各ステータコアに巻かれた各単相巻線に給電される。ステータ電流により励磁される起磁力の高調波成分は、二次巻線に二次交流電圧を誘導する。
【００１４】
好適態様によれば、タンデム配列されたTFWRMの各ステータコアに一次界磁巻線が巻かれる。直流の一次界磁電流が、直列接続されたこれらの一次界磁巻線に供給される。これにより、TFWRMが回転する時、一次界磁巻線は、ロータの界磁巻線に界磁電流を効率的に供給する。
【００１５】
次に、単相スイッチドリラクタンスモータのトルクを発生させるための横磁束スイッチドリラクタンス機械（TFSRM）が提案される。更に、磁石トルクとリラクタンストルクとを同時に発生する横磁束永久磁石スイッチドリラクタンス機械（TFPMSRM）が提案される。TFMのロータが大きな空間をもつので、この永久磁石層の追設により、このTFSRMの体格は増大されない。更に、軸方向又は周方向へタンデム配列された複数のTFMが提案される。本発明の他の特徴と効果が実施例において説明される。
【図面の簡単な説明】
【００１６】
【図１】図１は、分割コアをもつ従来のTFMを示す軸方向横断面図である。
【図２】図２は、SMCコアをもつ従来のTFMの模式横断面図である。
【図３】図３は、タンデム配置された３個のTFIMを示す軸方向横断面図である。
【図４】図４は、図３に示される軸方向積層ステータコアの軸方向横断面図である。
【図５】図５は、図４に示されるステータコアを示す部分側面図である。
【図６】図６は、図４に示されるステータコアの部分平面図である。
【図７】図７は、図３に示されるロータティースの配列を示す周方向展開図である。
【図８】図８は、図３に示されるステータティースの配列を示す周方向展開図である。
【図９】図９は、図３に示されるTFIMを駆動するためのTFMAを示すブロック回路図である。
【図１０】図１０は、図９に示されるTFMAの接続切換動作を示すフローチャートである。
【図１１】図１１は、図３に示されるTFIMを用いる２台の発電電動機をもつシリーズ-ハイブリッド車の電力システムを示す概略構成である。
【図１２】図１２は、２台の発電電動機の共通周波数と、図１１に示される２台の発電電動機の２つのロータ速度と均等な２つのロータ周波数とを示す。
【図１３】図１３は、図１１に示される電力システムの接続切換動作を示すフローチャートである。
【図１４】図１４は、軸方向にタンデム配列された３つのTFWRM（横磁束巻ロータ機械）を示す軸方向横断面図である。
【図１５】図１５は、図２０に示されるTFWRMの界磁巻線に界磁電流を供給するためのロータ回路を示す回路図である。
【図１６】図１６は、３つの単相巻線に三相ステータ電流を供給するための３相インバータを示す回路図である。
【図１７】図１７は、基本波電流成分及び高周波電流成分を示すベクトル図である。
【図１８】図１８は、図１４に示されるTFWRMの１つの相巻線に通電される電流の波形図である。
【図１９】図１９は、図１４に示されるTFWRMのトルク制御を示すフローチャートである。
【図２０】図２０は、図１４に示されるロータティースの配列を示す周方向展開図である。
【図２１】図２１は、図１４に示されるステータティースの配列を示す周方向展開図である。
【図２２】図２２は、図１４に示されるロータティースの第１位置を示す周方向展開図である。
【図２３】図２３は、図１４に示されるロータティースの第２位置を示す周方向展開図である。
【図２４】図２４は、図１４に示されるロータティースの第３位置を示す周方向展開図である。
【図２５】図２５は、図１４に示されるロータティースの第４位置を示す周方向展開図である。
【図２６】図２６は、軸方向にタンデム配列された他のTFWRMを示す軸方向横断面図である。
【図２７】図２７は、図２６に示されるTFWRMの界磁電流回路を示す回路図である。
【図２８】図２８は、軸方向にタンデム配列された３つのTFPMの一例を示す軸方向横断面図である。
【図２９】図２９は、図２８に示されるロータの極領域の配列を示す周方向展開図である。
【図３０】図３０は、図２８に示されるステータのティースの配列を示す周方向展開図である。
【図３１】図３１は、図２８に示される永久磁石ロータの第１磁化工程を示す部分展開図である。
【図３２】図３２は、図２８に示される永久磁石ロータの第２磁化工程を示す部分展開図である。
【図３３】図３３は、軸方向にタンデム配列された３つのTFPMの他例を示す軸方向横断面図である。
【図３４】図３４は、図３３に示されるロータの極領域の配列を示す周方向展開図である。
【図３５】図３５は、図３３に示されるステータの分離された各コアを示す軸方向模式断面図である。
【図３６】図３６は、図３３に示されるステータティースの配列を示す周方向展開図である。
【図３７】図３７は、図３３に示されるステータコアのヨーク部の配列を示す周方向展開図である。
【図３８】図３８は、軸方向にタンデム配列された３つのTFPMの他例を示す軸方向横断面図である。
【図３９】図３９は、図３８に示されるTFPMのステータコアの分離状態を示す軸方向横断面図である。
【図４０】図４０は、図３８に示されるTFPMの磁束を示す模式図である。
【図４１】図４１は、図３８に示される左コアを示す側面図である。
【図４２】図４２は、図３８に示されるTFPMのステータコアを示す側面図である。
【図４３】図４３は、図３８に示されるステータティースの配列を示す模式展開図である。
【図４４】図４４は、図３８に示される永久磁石円筒の極領域の配列を示す模式展開図である。
【図４５】図４５は、タンデム配列された６つのTFSRMの一例の軸方向断面図である。
【図４６】図４６は、図４５に示されるステータティースの配列を示す周方向展開図である。
【図４７】図４７は、図４５に示されるロータティースの配列を示す周方向展開図である。
【図４８】図４８は、図４５に示されるTFSRMのインダクタンス及びモータ電流を示すタイミングチャートである。
【図４９】図４９は、図４５に示されるTFSRMのインダクタンス及び発電電流を示すタイミングチャートである。
【図５０】図５０は、図４８に示されるロータティースの配列を示す周方向展開図である。
【図５１】図５１は、図４８に示される直流駆動TFPMSRMの動作を示す模式側面図である。
【図５２】図５２は、図４８に示される直流駆動TFPMSRMと同じ構造をもつ交流駆動TFSynRMの動作を示す参考図である。
【図５３】図５３は、周方向にタンデム配列をもつ二重３相TFIMを示す軸方向横断面図である。
【図５４】図５４は、図５３に示されるTFIMの配列を示す模式側面図である。
【図５５】図５５は、図５３に示される分割ステータコア及びティースホルダを例示するための軸方向横断面図である。
【図５６】図５６は、図５５に示されるステータコアを示す部分側面図である。
【図５７】図５７は、図５３に示されるTFMを示す側面展開図である。
【図５８】図５８は、図５３に示されるステータコアを示す軸方向横断面図である。
【図５９】図５９は、図５３に示されるステータティースの１つの配列の周方向展開図である。
【図６０】図６０は、図５３に示されるステータティースのもう一つの配列の周方向展開図である。
【図６１】図６１は、図５３に示されるTFIMのもう一つの配列を示す模式側面図である。
【図６２】図６２は、図５３に示されるロータティースの周方向展開図である。
【発明を実施するための形態】
【００１７】
図３-図６２は、コアバックにティースを接続する斜め部をもつ積層コアを有するムカデ形TFMA（CTFMAと呼ばれる）を示すための複数の実施例を示す。実施例１を示す図３-図１３は、３つ又は６つの横磁束誘導機械（TFIM)又は横磁束同期リラクタンス機械（TFSynRM）のタンデムTFIM技術及びタンデムTFSynRM技術を開示する。実施例２を示す図１４-図２７は、３つの横磁束巻ロータ機械（TFWRM）をもつタンデムTFWRM技術を開示する。実施例３を示す図２８-図４４は、３つの横磁束永久磁石機械（TFPM）をもつタンデムTFPM技術を開示する。実施例４を示す図４５-５２は、３つ又は６つの横磁束スイッチドリラクタンス機械（TFSRM)又は横磁束永久磁石スイッチドリラクタンス機械（TFPMSRM）をもつタンデムTFSRM技術を開示する。実施例５を示す図５３-図６２は、３つのTFIMをもつ周方向-タンデムTFIM技術を開示する。この周方向-タンデム構造は他のCTFMにも適用することができる。下記の実施例で開示される技術の一部は、公知のコア構造をもつ従来のTFMにも有用である。
【００１８】
第１実施例
図３に示されるTFMAは、軸方向にタンデム配列された３つの単相TFIMを有する。U相TFIMは、U相ステータ１UとU相ロータコア４Uとを有する。V相TFIMは、V相ステータ１VとV相ロータコア４Vとを有する。W相TFIMは、W相ステータ１WとW相ロータコア４Wを有する。ステータ１U、１V及び１Wは、ステータハウジング１００に固定されている。U相ステータ１Uは、U相巻線３Uを収容するU相ステータコア２Uを有している。V相ステータ１Vは、V相巻線３V相を収容するV相ステータコアを有している。W相ステータ１Wは、W相巻線３Wを収容するW相ステータコアを有している。ステータコア２U、２V及び２Wと相巻線３U、３V及び３Wは各々、リング状に形成されている。
【００１９】
ステータハウジング１００は、円盤状の前ハウジング１０１と樽状の後ハウジング１０２とを有してる。前ハウジング１０１、ティースホルダ１a、U相ステータコア２U、ティースホルダ１b、V相ステータコア２V、ティースホルダ１c、W相ステータコア２W、１dティースホルダ及び後ハウジング１０２のディスク部分は、ロータ軸２０１の軸方向AXへ順番に配置されている。ティースホルダ１a-１dと、ステータコア２U、２V及び２Wと、ロータコア４U、４V及び４Wとの詳細な構造は後で説明される。
【００２０】
冷却導管４００は、ティースホルダ１a-１dの各環状凹部に巻かれている。これらの凹部は、アルミニウムでできたティースホルダ１a-１dの外周表面に沿って周方向PHへ延在している。後ハウジング１０２は、ステータ１U-１W、ティースホルダ１a-１d及び冷却導管４００を収容している。冷却流体が冷却導管４００の中を流れている。後ハウジング１０２のシリンダ部の内周面は、ステータコア２U-２W、ティースホルダ１a-１d及び冷却導管４００の外周面と接触している。好適には、ティースホルダ１a-１dは、渦電流を減らすための絶縁層（図示せず）を介してステータコア２U-２Wに接触する。この絶縁層は、２枚の軟鉄板７（図４に示される）の間の隙間７１gと７４gとの間に挿入される樹脂層と同プロセスで作られている。
【００２１】
軸方向にタンデム配置されたロータコア４U、４V及び４Wは、ダイカスト法で製造されるロータハウジング２００に固定されている。アルミニウムまたは銅でできたロータ・ハウジング２００は、ロータ軸２０１に固定されている。ロータ軸２０１は、ベアリングを介してステータハウジング１００に保持されている。ロータハウジング２００は、３個の単相TFIMのいわゆる籠形二次巻線を構成する。ロータハウジング２００は、３つのロータコア４U-４Wの３つのスロットに配置された３つのリング部４０を有している。ロータコア４U-４Wは、ステータコア２U-２Wに個別に面している。ロータ軸２０１は、軸方向へ延在するヒートパイプ２０２を有している。銅板でできた冷却ディスク２０３は、後ハウジング１０２の外端面に隣接する位置にてロータ軸２０１に固定されている。冷却ディスク２０３は、入口２０４と出口２０５とをもつケース２０６で覆われている。冷却ディスク２０３が回転する時、冷却ディスク２０３上の空気境界層は自身の遠心力で冷却ディスク２０３の両ディスク面を離れる。ロータコア４U-４W及びロータハウジング２００の発生熱は、ヒートパイプ２０２でロータ軸２０１を通じて冷却ディスク２０３に伝達される。熱パイプ２０２の蒸気は、後方へ流れる。円筒状の液体表面の全部分がロータ軸中心線から等距離にあるため、ヒートパイプ２０２は、液体回帰のための構造を要しない。言い換えれば、凝縮液体が自身の遠心力で回帰するため、ヒートパイプの熱輸送能力は優れている。
【００２２】
U相ステータコア２UとU相巻線３UをもつU相ステータ１Uが、図４-図６を参照して説明される。他のステータ１V及び１Wは、U相ステータ１Uと本質的に同じである。ロータコア４U-４Wはそれぞれ、U相ステータコア２Uと同じ構造をもつ。ステータコア２Uは、左ステータティース２１L、右ステータティース２１R、環状のヨーク部２４、左斜め部２５L及び右斜め部２５Rからなる。ステータティース２１L、２１Rは、径方向RAの内側へ突出している。環状のヨーク部２４は、周方向PHへ延在している。左ステータティース２１L、右ステータティース２１R、左斜め部２５L及び右斜め部２５Rは各々、周方向PHへ配列されている。
【００２３】
各左斜め部２５Lは、各左ステータティース２１Lとヨーク部２４とを繋いでいる。各右斜め部２５Rは、各右ステータティース２１Rとヨーク部２４とを繋いでいる。左斜め部２５Lは、ヨーク部２４から前方へ斜めに延在している。右斜め部２５Rは、ヨーク部２４から後方へ斜めに延在している。左ステータティース２１Lと右ステータティース２１Rとは、U相コア２Uの環状スロットに収容されたU相巻線３Uを挟んで軸方向AXに隣接している。三角形の横断面をもつ環状の樹脂スペーサ８００は、左ステータティース２１Lと右ステータティース２１Rとの間のスロットの上部に挿入されている。
【００２４】
図４に示されるように、ステータコア２Uは、軸方向へ積層された６枚の軟鉄板７で構成されている。各プレート７は、左ティース７１L、右ティース７１R、環状のヨーク部７４、左斜め部７５L及び右斜め部７５Rからなる。左ティース７１L及び右ティース７１Rは、径方向RAの内側へ突出している。ヨーク部７４は、周方向PHへ延在している。斜めに延在する各左斜め部７５Lは、各左ティース７１L及びヨーク部７４を繋いでいる。斜めに延在する各右斜め部７５Rは、各右ティース７１Rとヨーク部７４とを繋いでいる。したがって、ステータコア２Uは、軸方向に積層された複数の軟鉄板７で構成されている。同様に、もう一つのステータコア４V、４W及びロータコア４U、４V、４Wも、ステータコア４Uと同様に、軸方向に積層された複数の軟鉄板からなる。斜め方向へ真っ直ぐに延在する左斜め部７５Lは、平鉄板のプレスにより形成される。平鉄板のプレスにより形成された右斜め部７５Rは、斜め方向へ真っ直ぐに延在している。
【００２５】
螺旋状に積層された軟鉄板は、軸方向に積層された複数の軟鉄板７の代わりに採用されることができる。互いに隣接するヨーク部７４の各ペア間に、各環状隙間７４gが形成されることがわかる。同様に、軸方向AXにて互いに隣接する左ティースの各ペアの間に、ティース形の各隙間７１gが形成される。同様に、ティース形の各隙間７１gが、軸方向AXにおいて互いに隣接する右ティース７１Rの各ペア間に形成される。各隙間７４g、７１gは、軟鉄粉を含む各樹脂層で埋められる。樹脂層は、鉄損の高調波成分を低減する。樹脂層を使う代わりに、ヨーク部７４及びティース７１L、７１Rは磁気振動低減のため軸方向AXへ湾曲乃至屈曲又は突出されることができる。結局、ステータコア２Uは、複数の軟鉄板７の軸方向積層工程で作られている。
【００２６】
図５は、ステータコア２Uの一部を模式的に示す部分側面図である。図６は、ステータコア２Uの一部を模式的に示す部分平面図である。左ステータティース２１Lと右ステータティース２１Rとは、周方向PHにおいて交互に配列されている。２つの左ステータティース２１Lは、１つのステータティースとほぼ等しい周方向幅をもつスペースを越えて互いに隣接している。同様に、２つの右ステータティース２１Rは、１つのステータティース２１Rとほぼ等しい周方向幅をもつスペースを越えて互いに隣接している。左斜め部２５Lと右斜め部２５Rは、周方向PHに交互に配列される。２つの左斜め部２５Lは、斜め部２５Lとほぼ等しい周方向幅をもつスペースを越えて互いに隣接している。同様に、２つの右斜め部２５Rは、斜め部２５Rとほぼ等しい周方向幅をもつスペースを越えて互いに隣接している。
【００２７】
各ロータコア４U-４Wは、左ロータティース４１L、右ロータティース４１R、環状のヨーク部４４、左斜め部４５L及び右斜め部４５Rからなる。左ロータティース４１Lと右ロータティース４１Rは、径方向外側へ突出している。ヨーク部４４は、周方向PHへ延在している。左ロータティース４１L、右ロータティース４１R、左斜め部４５L及び右斜め部４５Rは、各々周方向PHへ配列されている。各左斜め部４５Lは、各左ロータティース４１Lとヨーク部４４とを繋いでいる。各右斜め部４５Rは、各右ロータティース４１Rとヨーク部４４とを繋いでいる。左斜め部４５Lは、ヨーク部４４から前方へ斜めに延在している。右斜め部４５Rは、ヨーク部４４から後方へ斜めに延在している。左ロータティース４１Lと右ロータティース４１Rは、ロータハウジング２００のリング部分４０で埋められたリング状のスロットを越えて軸方向AXにて互いに隣接している。リング部４０は、籠形二次巻線の一部である。左ロータティース４１Lは、径方向RAにおいてステータティース２１Lに面している。右ロータティース４１Rは、径方向RAにおいて右ステータティース２１Rに面している。
【００２８】
ステータコア２Uのステータティース２１L及びロータコア４Uのロータティース４１LはU相電気角をもつ。ステータコア２Vのステータティース２１L及びロータコア４Vのロータティース４１LはV相電気角をもつ。ステータコア２Wのステータティース２１L及びロータコア４Wのロータティース４１LはW相電気角をもつ。これら３つの電気角の各２つの間の各角度は、１２０度である。結局、図３に示されるTFMAは３つの単相TFIM（横磁束単相誘導機械）を有している。図７は、ロータティース４１L、４１Rの１つの配列を示す部分展開図である。図８は、ステータティース２１L、２１Rの１つの配列を示す部分展開図である。
【００２９】
図９は、図３に示される３つのTFIMをもつTFMAを示すブロック回路図である。３相インバータ９は、３つのTFIMの単相巻線３U-３WにU相電圧Vu、V相電圧Vv及びW相電圧Vwを個別に印加する。これらのTFIMから検出されたロータ角度は、誘導電動機モード及びリラクタンスモータモードをもつコントローラ３００に伝送される。各TFIMが二重突極構造をもつので、これら３つのTFIMは、各々リラクタンストルクを発生することができる。言い換えれば、ステータコア２U-２Wは突極タイプであり、ロータコア４U-４Wも突極タイプである。故に、３つのTFIMの各磁気抵抗は、ロータ角度に従って変化する。他方、３つのTFIMはそれぞれ単相誘導モータであるため、３つのTFIMは始動トルクを発生させることができない。結局、回転始動のために、３つのTFIMは、単相シンクロナスリラクタンスモータまたは単相スイッチドリラクタンスモータとしてそれぞれ駆動される。
【００３０】
図１０は、上記２つのモードのどちらかの一つの選択を示すフローチャートである。最初に、ロータ位置、ロータ角速度及びトルク指令値を含む情報がステップS２００にて検出される。次のステップ２０２にて、誘導モータトルクTiとシンクロナスリラクタンストルクTrが、検出された情報及び記憶マップに従って計算される。TFIMの速度がゼロである時、誘導モータトルクTiはゼロである。各相巻線３U-３Wがd軸インダクタンスLdとq軸インダクタンスLqとの差をもつので、各TFIMはシンクロナスリラクタンストルクTr（=（Ld-Lq）IdIq）を発生することができる。トルクTrは、d軸インダクタンスLd、q軸インダクタンスLq、d軸電流Id及びq軸電流Iqに応じて計算される。
【００３１】
シンクロナスリラクタンスモータ（TFSynRM）又はスイッチドリラクタンスモータ（TFSRM)としてTFIMを始動した後、ステップS２０２にて誘導モータモードがベターか否かが効率とトルク値に基づいて判断される。誘導モータ動作の効率が同期電動機動作の効率より高い場合に、誘導モータモードが選択される。誘導モータモードはステップS２０４で選択され、リラクタンスモータモードはステップS２０６で選択される。もう一つの事例では、ロータ温度が所定閾値より高いかどうかが、ステップS２０２にてさらに判断される。リラクタンスモータ・モードの採用によりロータ銅損が低減されるので、ロータ温度がより高いときにリラクタンスモータモードが選択される。
【００３２】
図１１は、シリーズ・ハイブリッド車に採用された上記TFIMを駆動する用電力システムの一例を示す模式ブロック回路図である。この電力システムは、エンジン側の発電電動機（MG１）、車輪側の発電電動機（MG２）、エンジン側の３相インバータ９E、車輪側の３相インバータ９F、DC電源９G及び接続切換リレー９Hからなる。発電電動機MG１、MG２の各々は、図３に示される３つのTFIMで構成されている。MG１の３つの相巻線３U１、３V１及び３W１はそれぞれ、３相インバータ９Eの３つのレグ（図示せず）に接続されている。MG２の３つの相巻線３U２、３V２及び３W２はそれぞれ、３相インバータ９Fの３つのレグ（図示せず）に接続されている。DC電源９Gの高電位端子は、インバータ９E、９Fの高電位端子に接続されている。接続切換リレー９Hは、相巻線３U１、３V１、３W１と相巻線３U２、３V２、３W２とを個別に接続する。
【００３３】
３つの相巻線３U１、３V１、３W１は３つの相電圧Vu１、Vv１、Vw１を個別に有する。３つの相電圧Vu１、Vv１、Vw１間の各位相差は電気角１２０度である。３つの相巻線３U２、３V２、３W２は、それぞれ３つの相電圧Vu２、Vv２、Vw２を有している。３つの相電圧Vu２、Vv２、Vw２間の各位相差は電気角１２０度である。コントローラ３００は、６つの電圧VU１、Vv１、Vw１、Vu２、Vv２、Vw２の周波数及び電圧を制御する。共通周波数foは、MG１が発電機として駆動され、MG２がモータとして駆動される場合に選択される。電圧Vu１、Vv１、Vw１は同期周波数f１をもち、それはMG１のロータ速度に相当する。電圧Vu２、Vv２、Vw２は同期周波数f２をもち、それらはMG２のロータ速度に相当する。２つの同期周波数f１、f２の差が小さいとき、接続切換リレー９Hがオンされる。したがって、U相巻線３U１、３U２が直結される。V相巻線３V１、３V２が直結される。W相巻線３W１、３W２が直結される。MG１に接続される内燃機関の出力がMG１及びMG２の効率を高く維持するために制御される。結局、６つの相電圧Vu１、Vv１、Vw１、Vu２、Vv２及びVw２は各々、共通の周波数foをもつ。
【００３４】
図１２は、共通周波数fo、MG１の相当周波数fg及びMG２の相当周波数fmを示す。相当周波数fgは、MG１のロータ速度に相当する。相当周波数fmは、MG２のロータ速度に相当する。共通周波数は、相当周波数fgとfmの間の中間値をもつ。したがって、リレー９Hがオンにされる時、MG１はスリップ率Smをもち、MG２はスリップ率Sgをもつ。MG１とMG２の間の電流バランスを実現するために、共通周波数foが制御される。リレー９Hがオンにされるとき、インバータ９E、９Fは停止されることができる。
【００３５】
図１３は、リレー９Hの制御の一例を示すフローチャートを示す。最初に、MG１及びMG２のロータ速度を含む情報がステップS３００にて検出される。次のステップS３０２にて、リレー９Hの接続状態がオン状態からオフ状態へ、もしくは、オフ状態からオン状態へ切り換えられるべきか否かが判断される。インバータ９E、９Fが共通周波数foをもつ時、リレー９Hはオンされる。言い換えれば、インバータ９E、９Fは、リレー９Hのオン又はオフの前に共通周波数foで運転される（S３０４）。共通周波数foと６相の電圧Vu１-Vw２とを制御することにより、MG１とMG２の電流差が低減される。次のステップS３０６にて、リレー９Hの電流Irelayが所定値より低いかどうかが判断される。ステップS３０８にて、リレー電流Irelayが所定値より小さくなった後、リレー９Hの状態が切り換えられる。これにより、リレーのスパークが低減される。
【００３６】
第１変形態様
第１実施例の第１変形態様が説明される。図３に示されるTFIMは、ロータコア４U-４Wの３つのリング部４０を省略することにより、軸方向タンデム単相シンクロナスリラクタンス横磁束機（TFSynRM）又は軸方向タンデム単相横磁束スイッチドリラクタンス機械（TFSRM）になる。
【００３７】
第２実施例
図１４は、軸方向にタンデム配列された３つの単相TFWRM（横磁束巻ロータ機械）を示す軸方向横断面図である。図１４に示される３つのTFWRMは、ロータコア４U、４V、４Wのリング状スペースに巻かれた界磁巻線６U、６V、６W及び二次巻線６０U、６０V、６０Wをもつ。このリング状のスペースは、図３に示されるリング部４０を省略することにより形成される。リング状のU相界磁巻線６U及びリング状のU相二次巻線６０Uは、U相ロータ４Uの左ティース４１Lと右ティース４１Rの間のスペースに収容されている。リング状のV相界磁巻線６V及びリング状のV相二次巻線６０Vは、V相ロータ４Vの左ティース４１Lと右ティース４１Rの間のスペースに収容されている。リング状のW相界磁巻線６W及びリング状のW相二次巻線６０Wは、W相ロータ４Wの左ティース４１Lと右ティース４１Rの間のスペースに収容されている。
【００３８】
図１４に示される３つのTFWRMのロータ回路が図１５に示される。星形接続をもつ二次巻線６０U、６０V、６０Wは、３相全波ダイオード整流器６００を通じて界磁巻線６U、６V、６Wに界磁電流Ifを供給する。界磁巻線６U、６V、６Wは、互いに直列接続されている。図１４に示されるこの整流器６００の代わりに、３相半波整流器が採用されることができる。更に、界磁巻線６U、６V、６Wを兼ねる各二次巻線６０U、６０V、６０Wは、各ダイオードを通じて短絡されることもできる。図１６は、３つのステータコア２U、２V、２Wに個別に巻かれた３つの単相巻線３U、３V、３Wに接続される３相インバータ９を示す。このインバータ９は、TFWRMが３相発電機として作動する場合に整流器として振る舞う。
【００３９】
このインバータ９は、U相励磁電流IUh、V相励磁電流IVh、W相励磁電流IWhからなる対称３相励磁電流Ihを供給する。さらに、インバータ９は、U相基本電流IU０、V相励磁電流IV０、W相励磁電流IW０からなる対称３相励磁電流I０を供給する。励磁電流Ih及び基本電流I０の周波数が、図１７に示される。図１６において、電流I０、Ihはそれぞれ正弦波形をもつ。励磁電流Ihの周波数fhは、基本電流I０の周波数よりも高い。滑り率Sは、(fh-f０)/fhの値に等しい。３つの二次巻線６０U、６０V、６０Wにそれぞれ二次電圧を誘導するために、ロータ４のロータティース４１L、４１Rに起磁力（MMF）の空間高調波を用いることができる。言い換えれば、たとえ正弦波電流がたとえ３つの単相巻線３U、３V、３Wに供給されても、起磁力が空間的に変調されるので、図１４に示されるTFWRMの二重突極構造は、起磁力の空間高調波を発生する。この起磁力（MMF）の高調波は、二次巻線６０U、６０V、６０Wにそれぞれ交流二次電圧を誘導する。
【００４０】
他例によれば、３つの相巻線３U、３V、３Wに供給される各相電流は、図１８に示されるようなそれぞれ台形波形をもつ。台形波形の電流は、基本電流I０に加えて多くの高調波成分を含む。
【００４１】
このTFWRMのトルク制御の一例が図１９を参照して説明される。ステップ４００にて、トルク指令値Tiが読み込まれる。次のステップS４０２で、各相電流の波形と振幅が、記憶マップからサーチされる。トルク指令値Tiが大きいとき、相電流変化率及び振幅が増加される（S４０４）。トルク指令値Tiが小さいとき、相電流変化率及び振幅が減少される（S４０４）。さらに、モータ速度が低い時に高周波の励磁電流Ihが台形の相電流に追加される。なぜなら、モータ速度が低い時に誘導二次電圧の周波数が減少するからである。結局、台形波形の基本電流I０の供給により、又は、励磁電流Ihの供給により、又はTFWRMの二重突極構造の利用により、二次電流が誘導される。インバータ９は、決定された基本電流I０及び決定された励磁電流Ihを供給する。
【００４２】
界磁巻線６U、６V、６Wが抵抗と見なせ、かつ、励磁電流Ihの周波数が高いため、励磁巻線６０U、６０V、６０Wは、多くの巻数を要求しない。更に、対称３相基本電流I０が供給される時、直列接続された界磁巻線６U、６V、６Wに誘導される電圧の和は、ほぼゼロとなる。
【００４３】
図２０は、ロータティース４１L、４１Rの配列を示す。U相ロータコア４Uの左ティース４１L、V相ロータコア４Vの右ティース４１R及びW相ロータコア４Wの左ティース４１Lは、N極に磁化される。U相ロータコア４Uの右ティース４１R、V相ロータコア４Vの左ティース４１L及びW相ロータコア４Wの右ティース４１Rは、S極に磁化される。図２１は、ステータ１の左ティース２１L及び右ティース２１Rの配列を示す。
【００４４】
図２２-図２５は、U相ロータコア４UのU相左ティース４１Lの周方向位置をそれぞれ示す。U相左ティース４１Lは、N極に磁化される。図２２に示される第１ロータ位置にて、左ティース４１Lの先端面は、S極に磁化される。左ティース４１Lは、左ティース２１Lにより吸引される。図２３に示される第２ロータ位置にて、U相基本電流Iuは停止される。図２４に示される第３ロータ位置にて、左ティース４１Lの先端面は、N極に磁化される。左ティース４１Lは、N極をもつ左ティース２１Lにより反発される。図２５に示される第４ロータ位置にて、U相基本電流Iuは停止される。
【００４５】
第１変形態様
図１４に示されるTFWRMの第１変形態様が図２６、図２７を参照して説明される。図２６は、軸方向にタンデム配置された３つのTFWRMをもつ他のTFMAを示す軸方向横断面図である。図２７に示される３つのステータは、ステータコア３U、３V、３Wの環状スロットに巻かれた一次界磁巻線３０U、３０V、３０Wの追加を除いて、図１４に示される３つのTFWRMと本質的に同じである。環状のU相一次界磁巻線３０Uは、ステータコア２Uに巻かれている。環状のV相一次界磁巻線３０Vは、ステータコア２Vに巻かれている。環状のW相一次界磁巻線３０Wは、ステータコア２Wに巻かれている。さらに、図２６は、冷却空気（C.A.）が流れる冷却空気通路を示す。冷却空気（C.A.）は、ティース４１L、４１Rの回転によって発生される。
【００４６】
図２７は、ロータ回路３０００及びステータ回路９０００を示す回路図である。ステータ側に設けられたこのステータ回路９０００は、３相インバータ９、調整トランジスタ９０及びフリーホィーリングダイオード３００をもつ。このTFWRMが発電機としてのみ運転される時、３相インバータ９は、三相全波ダイオード整流器に変更される。調整トランジスタ９０は、直列接続された一次界磁巻線３０U、３０V、３０Wを流れる一次界磁電流If１を制御するためにPWMスイッチングされる。フリーホイーリングダイオード３００は、一次界磁巻線３０U、３０V、３０Wと並列接続されている。図２７に示されるローター回路３０００は、図１５に示されるロータ回路と同じである。
【００４７】
図２６、図２７に示されるTFWRMの発電機動作が、以下に説明される。一次界磁電流If１は、直列接続された一次界磁巻線３０U、３０V、３０Wに供給される。これにより、U相ステータコア２Uのティース２１L、V相ステータコア２Vのティース２１R及びW相ステータコア２Wのティース２１Lは、N極に磁化される。U相電圧VU２、 V相電圧VV２及びW相電圧VW２が、３つの二次巻線６０U、６０V、６０Wに個別に誘導される。整流器６００は、このU相電圧VU２、 V相電圧VV２及びW相電圧VW２からなる３相二次電圧を整流し、界磁電流Ifを界磁巻線６U、６V及び６Wに供給する。したがって、ティース４１L、４１Rが磁化される。U相ローターコア４Uのティース４１L、V相ロータコア４Vのティース４１R及びW相ロータコアのティース４１Lは、S極に磁化されることが望ましい。言い換えれば、界磁電流Iｆ、一次界磁電流If１は周方向において同一方向に流れる。したがって、３つの交流電圧が、３つの単相巻線３U、３V、３Wに誘導される。整流器９は、誘導された３相電圧を整流する。
【００４８】
界磁巻線６U、６V及び６Wは、二次巻線６０U、６０V及び６０W及び一次界磁巻線３０U、３０V及び３０Wよりも非常に大きな巻数をもつ。界磁巻線６U、６V及び６Wはそれぞれ、二次巻線６０U、６０V及び６０W及び一次界磁巻線３０U、３０V及び３０Wのそれぞれよりも５倍以上、更に好適には１０倍の巻数をもつことが好ましい。したがって、大きなインダクタンスをもつ界磁巻線６U、６V及び６Wは、大きな磁気エネルギーを蓄積する。それは、大きな磁束を励起することを意味する。さらに、界磁電流Ifの電流リップルが低減される。たとえロータが回転されても、一次界磁巻線３０U、３０V及び３０Wのインダクタンスの合計、並びに、界磁巻線６U、６V及び６Wのインダクタンスの合計はそれぞれ、ほぼ一定である。言い換えると、たとえロータが回転されても、３つのTFWRMのステータティース２１L、２１Rとロータティース４１L、４１Rのオーバーラップ面積（対面面積）は、ほぼ一定である。これにより、一次界磁巻線３０U、３０V及び３０Wに誘導される電圧の合計は、ほぼゼロになる。界磁巻線６u-６Wの銅損として消費される電力がロータの機械的エネルギーから供給されることが重要である。さらに、たとえTFWRMがユニポーラタイプであるとしても、TFWRMは多数の歯２１L-２１R、４１L-４１Rをもつことができるため、巻線３０U-３０W、６０U-６０Wの巻数が低減される。他の変形態様によれば、一次界磁巻線３０U-３０Wは省略される。電流If１の代わりに、巻線３U-３WにDC一次界磁電流If１を流すことが可能である。
【００４９】
第３実施例
図２８は、軸方向にタンデム配列された３つの単相TFPMを示す軸方向概略断面図である。ステータ１は、図３に示されるステータ１と本質的に同じである。しかし、図２８に示されるTFPMは、鉄板でできたロータコア４U-４Wをもたない。図２８に示されるロータ４は、ロータ４の非磁性ロータ部６０５の外周面に固定された永久磁石円筒６００により構成されている。図２９に示されるように、永久磁石円筒６００の外周面は、周方向に交互配置されたN極領域６N及びS極領域６Sを有している。図３０は、ステータコア４U-４Wのステータティース２１L、２１Rを示す。ロータ４は、３つの単相巻線３Uー３Wに３相電流を供給することにより回転する。
【００５０】
図３１、図３２は、永久磁石円筒６００の磁化工程を示す。最初に、図３１に示されるように奇数行のN極領域N１及び偶数行のS極領域S１が磁化される。N極領域N１は、S極領域S１と異なる列に形成される。次に、図３２に示されるように奇数行のN極領域N２及び偶数行のS極領域S２が磁化される。N極領域N２は、S極領域S２と異なる列に形成される。これにより、永久磁石円筒６００は、周方向PHへ磁化されない。言い換えると、すべての極領域N１、N２、S１、S２が同時に磁化される時、S極領域S２からN極領域N１への周方向磁束通路と、S極領域S１からN極領域N２への周方向磁束通路とが、形成される。ステータティース２１Lが、隣接のN極領域N１とS極領域S２の両方に面する時、上記周方向磁束通路は、U相ステータコア２U及びU相ロータコア４U内に鞍形磁束通路を形成する。この鞍形磁束通路はU相巻線３Uと鎖交しない。それは、モータトルクの大幅な低下を引き起こす。隣接する２つの極領域が順番に磁化される時、この鞍形磁束通路の形成が抑制される。
【００５１】
第１変形態様
図３３-図３７は、TFPMをもつ他のTFMAを示す。図３３は、軸方向にタンデム配列された３つの単相TFPMを示す軸方向横断面図である。図３３に示されるステータコア２U、２V、２Wは、本質的に図３に示されるステータコア２U、２V、２Wと同じである。けれども、図３３に示されるステータコア２U、２V、２Wはさらに、リング部２７及び下斜め部２５０L、２５０Rを有している。更に、図３３に示されるステータコア２U、２V、２Wは、リング状のヨーク部２４の代わりに、セグメント化されたヨーク部２４L、２４Rを有している。
【００５２】
図３３において、３つのステータコア２U、２V、２Wは、左コア２L、２つの中央コア２C１、２C２及び右コア２Rで作られている。環状のコア２L、２C１、２C２及び２Rは、軸方向AXへ順番に配列されている。コア２L、２C１、２C２及び２Rは、軸方向に積層された鉄板で別々に作られている。環状のロータコア４U、４V及び４Wは、軸方向に積層された鉄板で別々に作られている。ロータコア４U、４V及び４Wは、在来の円筒形状を有している。３つの永久磁石リング１０はそれぞれ、ロータコア４U、４V及び４Wの各外周面に固定されている。ロータコア４U、４V及び４Wのスロットに所定数の永久磁石を挿入することも可能である。図３３に示されるステータコアは、TFPMを除く他のTFMにより採用されることもできる。図３４は、３つの永久磁石リング１０を示す周方向展開図である。各永久磁石リング１０は、周方向交互に配列されたN極領域NとS極領域Sを有している。
【００５３】
図３５は、図３３に示されるステータ２U、２V及び２Wの組み立て工程を示す。１つの左コア２L、２つの中央コア２C及び１つの右コア２Rが用いられる。けれども、２つの中央コアの１つは、紙シートの制約のため、図３５では図示されていない。左コア２１Lは、左ヨーク部２４L、上左斜め部２５L、環状の左リング部２７、下左斜め部２５０L及び左ティース部２１Lからなる。上左斜め部２５Lは、リング部２７から径方向外側へ突出している。各ヨーク部２４Lは、各上左斜め部２５Lから径方向外側へ突出している。下左斜め部２５０Lは、リング部２７から斜めかつ径方向内側へ突出している。各左ティース部２１Lは、各下左斜め部２５０Lからから突出している。各部２１L、２５０L、２５L及び２４Lはそれぞれ、周方向PHへ配列されている。
【００５４】
右コア２Rは、右ヨーク部２４R、上右斜め部２５R、環状の右リング部２７、下右斜め部２５０R及び右ティース部２１Rからなる。各上右斜め部２５Rは、リング部２７から斜めにかつ径方向外側へ突出している。各右ヨーク部２４Rは、各上右斜め部２５Rから径方向外側へ突出している。下右斜め部２５０Rは、リング部２７から斜めに突出している。各右ティース部２１Rは、各下右斜め部２５０Rから径方向内側へ突出している。各部２１R、２５０R、２５R及び２４Rはそれぞれ、周方向PHに配列されている。
【００５５】
中央コア２C１、２C２はそれぞれ、左ヨーク部２４L、右ヨーク部２４R、上左斜め部２５L、上右斜め部２５R、環状のリング部２７、下左斜め部２５０L、下右斜め部２５０R、左ティース２１L及び右ティース２１Rからなる。周方向PHに交互に配列された各斜め部２５R、２５Lは、リング部２７から斜めに突出している。各ヨーク部２４Rは、各部２５Rから径方向外側へ突出している。各ヨーク部２４Lは、各斜め部２５Lから径方向外側へ突出している。周方向PHへ交互に配列された斜め部２５０R、２５０Lは、リング部２７から斜めに突出している。各右ティース２１Rは、各部２５０Rから径方向内側へ突出している。各左ティース２１Lは、各部２５０Lから径方向内側へ突出している。各部２１L、２１R、２４L、２４R、２５L、２５R、２５０L及び２５０Rは各々、周方向PHに配列されている。
【００５６】
図３６は、左ティース部２１L及び右ティース部２１Rの周方向展開図である。図３７は、左ヨーク部２４L及び右ヨーク部２４Rの周方向展開図である。各相の左ヨーク部２４L及び右ヨーク部２４Rは、周方向へ交互にに配置されている。各相の隣接したヨーク部２４L、２４Rは、周方向PHに交互に接触している。
【００５７】
第２変形態様
図３８-図４４は、TFPMをもつ他のTFMAを示す。図３８は、軸方向にタンデム配列された３つのTFPMの軸方向横断面図である。図３８に示されるステータコア２U、２V、２Wは、図３３に示されるステータコア２U、２V、２Wと基本的に同じである。ステータコア２U、２V、２Wは、左ステータコア２L、中央コア２C１、２C２、右コア２Rからなる。しかし、図３８に示されるステータコア２U、２V、２Wは、図３３に示される下斜め部２５０L、２５０Rとティース２１L、２１Rをもたない。図３８に示されるステータコア２L、２C１、２C２、２Rは、ティース２１１-２１４を個別に有している。ステータコア２Lは、リング部２７から突出しているティース２１１をもつ。左側ステータコア２C１は、リング部２７から突出しているティース２１２をもつ。右側ステータコア２C２は、リング部２７から突出しているティース２１３をもつ。ステータコア２Rは、リング部２７から突出しているティース２１４をもつ。
【００５８】
図３９は、互いに分離されたステータコア２L、２C１、２C２及び２Rを示す。ステータコア２Lのティース状ヨーク部２４Lと左中央ステータコア２C１のティース状ヨーク部２４Rは、周方向PHにおいて交互に配列されている。左中央ステータコア２C１のティース状ヨーク部２４Lと右中央ステータコア２C２のティース状ヨーク部２４Rは、周方向PHにおいて交互に配列されている。右中央ステータ２C２のティース状ヨーク部分２４Lと右ステータコア２Rのティース状ヨーク部２４Rは、周方向PHにおいて交互に配列されている。
【００５９】
図３８に示されるロータ４は、非磁性ロータ部６０５に固定されたシリンダ状永久磁石６００を有する。図３８に示されるロータ４は、図２８に示されるロータ４又は在来の横磁束永久磁石機（TFPM）のロータと本質的に同じである。
【００６０】
図４０は、図３８に示されるTFPMの磁束を示すための模式図である。実線は、永久磁石６００の磁束を示す。点線は、３相巻線３U、 ３V、３Wを流れる３相電流Iu、Iv、Iwにより励磁された磁束を示す。図４４に示されるように、永久磁石６００は、N極領域とS極領域とからなる列６０１-６０４を有している。図４０に示されるように、列６０１は、磁束Fuをティース２１１に供給する。列６０２は、磁束Fwをティース２１２を供給する。列６０３は、磁束Fv、Fuをティース２１３に供給する。列６０４は、磁束Fu、Fvをティース２１３に供給する。磁束Fu、Fv、Fwの各２つの間の各位相差は、電気角１２０度である。言い換えると、ティース２１１-２１４に浸透している永久磁石磁束Fu、Fv、Fwは、ロータ４を回転させることにより空間変調される。
【００６１】
ロータが回転する時、U相巻線３Uと鎖交するU相磁石磁束Fuは、ほぼ正弦波形を有する。同様に、V相巻線３Vと鎖交するV相磁石磁束Fvは、ほぼ正弦波形を有する。同様に、W相巻線３Wと鎖交するW相磁石磁束Fwは、ほぼ正弦波形を有する。このように、このTFPMは、３相正弦波形の３相モータトルク又は３相正弦波形の３相発電電圧を発生する。
【００６２】
図４１は、左コア２Lの部分側面図である。図４２は、左コア２L及び左中央コア２C１からなるU相ステータコア２Uの部分側面図である。左コア２Ｌは、左ティース２１Ｌ，リング部２７、左斜め部２５Ｌおよび左ヨーク部２４Ｌをもつ。左ヨーク部２４L及び右ヨーク部２４Rは、周方向へ交互に配列され、かつ、互いに接触している。ヨーク部２４L、２４Rは、図３に示される環状のヨーク部２４を構成している。ステータティース２１L、２１Rはリング部２７から突出しているので、ステータティース２１L、２１Rの振動が減少する。ステータコア２V、２Wは、ステータコア２Uと同じ構造をもつ。
【００６３】
図４３は、ティース２１１-２１４の配列を示す模式展開図である。ステータティース２１１-２１４は、図３６に示されるステータティース２１L、２１Rの配列と異なっている。たとえコア２L、２C１、２C２、２Rが軸方向AXにおいてオーバーラップされていても、ティース２１１-２１４の周方向位置は自由であることが重要である。
【００６４】
図４４は、永久磁石円筒６００の極領域N１-N５及びS１-S５の配列を示す模式周方向展開図である。図４４は、N極領域N１-N５及びS極領域S１-S５を含む５つの行６０７-６１１を有している。図４４は、永久磁石円筒６００の極領域N１-N５及びS１-S５の4列を示す。図４４は、N極領域N１-N５及びS極領域S１-S５を含む５行を示す。N極領域N１-N５及びS極領域S１-S５は、周方向PHにおいて交互に配列されている。磁化された中間領域６０５が、永久磁石円筒６００内に磁路を形成するべく、列６０１-６０４の隣接する２つの間に配置されている。この中間領域６０５は、軸方向AXに磁化されている。しかし、永久磁石円筒６００は、周方向PHへ磁化されていない。周方向PHに延在する磁路をキャンセルするために、偶数行６０８、６１０は、奇数行６０７、６０９、６１１が磁化された後で、着磁される。
【００６５】
第４実施例
第４実施例が図４５-図５２を参照して説明される。図４５-図５２は、６相横磁束スイッチドリラクタンス機械（TFSRM）又は６相横磁束永久磁石スイッチドリラクタンス機械（TFPMSRM）をもつTFMAを開示する。図４５は、軸方向にタンデム配列された６つの単相TFSRMを示す軸方向横断面図である。図４６は、ステータ１のステータティース２１L、２１Rを示す周方向展開図である。
【００６６】
ステータ１は、U１相ステータコア２U１、U２相ステータコア２U２、V１相ステータコア２V１、V２相ステータコア２V２、W１相ステータコア２W１及びW２相ステータコア２W２をもつ。ステータコア２U１-２W２は、６つの相巻線３U１, ３U２, ３V１, ３V２, ３W１及び３W２を別々にもつ。図４６に示される矢印付きの各線は、相巻線３U１-３W２を別々に流れる６つの相電流I１-I６の各電流方向を示す。図４７は、ロータ４の６つのロータティース ４U１, ４U２, ４V１, ４V２ ４W１及び４W２のロータティース４１L、４１Rの配列を示す周方向展開図である。図４５に示されるステータ１及びロータ４は、図３に示される本質的にステータ１及びロータ４と等しい。けれども、図４５に示されるロータ４は、図３に示されるリング部４０をもたない。図４６において、各相のステータティース２１Lは、等しい周方向位置に配列されている。図４７において、隣接する２つのロータコアは、電気角６０度に相当する空間差を周方向において有している。
【００６７】
第１変形態様
この第４実施例の第１変形態様が、図４８-図５２を参照して説明される。図４８-図５０は、軸方向タンデム配列された６つの横磁束永久磁石スイッチドリラクタンス機械（TFPMSRMと呼ばれる）を示す軸方向横断面図である。図４８は、この６相TFPMSRMを示す軸方向横断面図である。図４８-図５０に示されるTFPMSRMは、図４８に示される永久磁石層６を除いて図４５-図４７に示されるTFSRMと本質的に同じである。永久磁石層６は、軸方向にタンデム配列された６つのロータコア４U１-４W２のティース４１L、４１Rの間の空間に設けられている。 永久磁石層６は、ティース４１L、４１Rの先端面を除いて、ロータコア４U１-４W２の外周面を被覆するフエライト磁石で作られている。図４９は、図４８に示されるステータティース２１L、２１Rの配列を示す周方向展開図である。図５０は、永久磁石層６のS極領域６S及びN極領域６N並びにロータティース４１L、４１Rの配列を示す周方向展開図である。N極領域６Nは、周方向PHにおいて、ロータコア４U１、４V１及び４W１の各２つの左ロータティース４１Lの間、並びに、ロータコア４U２、４V２及び４W２の各２つの右ロータティース４１Rの間に設けられている。S極領域６Sは、周方向PHにおいて、ロータコア４U１、４V１及び４W１の各２つの右ロータティース４１Rの間、並びに、ロータコア４U２、４V２及び４W２の各２つの左ロータティース４１Lの間に設けられている。相電流I２、I４、I６は、図４９に示されるように、相電流I１、 I３、I５と反対方向に流れる。
【００６８】
図４８に示される各TFPMSRMは、スイッチドリラクタンストルクと永久磁石トルクとを同時に発生する。図５１は、右方向へ移動するロータコア４U１の左ロータティース４１Lの４つの位置を示す模式側面図である。電気角０度にて、左ロータティース４１Lは、各２つの左ステータティース２１Lの間に位置している。各N極領域６Nは、左ステータティース２１Lに対面している。電気角９０度にて、U１相電流I１がU１相巻線３U１に供給される。ティース２１Lは、左ティース４１Lを引っ張り、左ティース４１Lの先端面がN極に磁化されるので、N極領域６Nを反発する。電気角１８０度にて、左ロータティース４１Lは、次のステータティース２１Lに対面する。それから、U１相電流I１が停止される。他のロータコア４U２-２W２は、右方向にロータコア４U１を移動する。左ティース４１Lは、電気角０度の位置に到達する。モータ動作における電気角０度-１８０度の期間中、TFPMSRMがロータティース４１Lの吸引トルク（スイッチドリラクタンストルク）と、N極領域６Nの反発トルク（永久磁石トルク）との両方を発生するため、TFPMSRMの全トルクは増加される。
【００６９】
永久磁石トルクが電流供給期間の延長無しに増加されるので、TFPMSRMの銅損及び鉄損が相対的に低減されることが重要である。さらに、永久磁石層６がロータティース４１L、４１Rの間のスペースに配置されるため、このTFPMSRMは寸法の増大を必要としない。
【００７０】
図５２は、AC駆動のTFPMSRM又は永久磁石層６をもつAC駆動のTFSynSRMのモータ動作を示す参考側面図である。図５２に示されるステータ及びロータは、図５１に示されるステータ及びロータと同じである。図５２は、右方向へ移動するロータコア４U１の左ロータティース４１Lの４つの位置を示す。図５２に示される左ロータティース４１Lのトルクパターンは、電気角０度から１８０度までの期間において、図５１に示される左ロータティース４１Lのトルクパターンと同じである。しかし、図５２に示される左ロータティース４１Lのトルクは、電気角１８０度から０度までの期間において、図５１に示される左ロータティース４１Lのトルクと異なっている。たとえば、電気角２７０度において、図５２に示される左ロータティース４１Lは、S極となる。なぜなら交流相電流１１が反対方向に流れるからである。これにより、左ステータティース２１Lは、N極領域６N及び左ロータティース４１Lを吸引する。左ロータティース４１Lの吸引トルクは、ブレーキトルクとなる。結局、トルク/電流比は、大電流が給電される時、大きく増加しない。しかし、電流供給期間が延長されるため銅損及び鉄損が増加される。更に、この交流駆動法は、直流駆動される非対称パワーコンバータと比べてより多くのスイッチング素子を要するインバータを必要とする。
【００７１】
第５実施例
周方向タンデム構造をもつCTFMを示す第５実施例が図５３-図５４を参照して説明される。図５３は、周方向タンデム構造をもつ３相TFIMの軸方向横断面図である。図５４は、図５３に示される３相TFIMの模式側面図である。３つのステータコア２U、２V、２Wの２セットが周方向へ順番に配列されている。６のステータコアはそれぞれ６０度の円弧形状を有している。
【００７２】
図５３において、ステータ１は、軸方向に配列されたステータコア２A、２Bをもつ。U相巻線３Uの２つの円弧部は個別に、ステータコア２A、２Bの円弧状スロットに収容されている。椀状の前ハウジング１０１及び椀状の後ハウジング１０２を備えるステータハウジング１００は、軸方向に順番に配列されたティースホルダ１a、ステータコア２A、ティースホルダ１b、ステータコア２B、ティースホルダ１dを収容している。ロータ４は、軸方向にタンデム配列された環状のロータコア４A、４Bをもつ。籠形二次巻線を構成する銅シリンダ２００Aは、ロータ軸２０１に固定されたロータハウジング２００に固定されている。
【００７３】
図５４に示されるように、２セットの円弧状ステータコア２U、２V、２Wは、周方向に配列されている。しかし、２セットのステータコア２U、２V、２Wは、環形の共通ヨーク部２４を有している。言い換えれば、ステータコア２Aのステータティース２１L、２１R及び斜め部２５L、２５Rは、２セットのステータコア２U、２V、２Wに属している。同様に、ステータコア２Bのステータティース２１L、２１R及び斜め部２５L、２５Rは、２セットのステータコア２U、２V、２Wに属している。円弧形の６つの相巻線３U、３V、３Wのそれぞれは、ほぼ６０度をもつ。U相巻線３Uは、隣接した２つのステータコア部２Uに巻かれている。V相巻線３Vは、隣接した２つのステータコア部２Vに巻かれている。W相巻線３Wは、隣接した２つのステータコア部２Uに巻かれている。
【００７４】
図５５は、ステータコア２A、２B及びティースホルダ１a、１b、１c、１dの軸方向断面図である。ステータコア２A、２B及びティースホルダ１a、１b、１c、１dは、互いに軸方向（AX)に分離されている。ティースホルダ（１a-１d）は、ステータコアの斜め部（２５L、２５R、４５L、４５R）及びティース（２１L、２１R、４１L、４１R）を保持するための非磁性部材である。図５６は、ステータ２Aの部分側面図である。ティースホルダ１a-１dは、非磁性材料たとえばアルミニウムで作られている。ティースホルダ１a-１dはそれぞれ、リング部(長手部）１０aと、このリング部１０aから径方向内側に突出する突出部１０Tとからなる。ティースホルダ１a、１ｃの突出部１０Tは、周方向において互いに隣接する２つの左ティース２１L、２１Lの間のスペースに突出している。ティースホルダ１b、１dの突出部１０Tは、周方向において互いに隣接する２つの左ティース２１R、２１Rの間のスペースに突出している。１つのティースホルダの突出部１０Tの数は、ステータコア２Aの左ティース２１Lと右ティース２１Rのどちらかの数に等しい。リング部１０aの内側斜面１０dは、斜め部２５L、２５Rの外側斜面２５aと接触している。
【００７５】
図５５によれば、ステータティース２１L、２１Rの周方向側の各側面は、軸方向AXに延在する凹部２９Aからなる嵌合部を有している。図５５によれば、ティースホルダ１a-１dの突出部１０Tの周方向側の各側面は、軸方向AXへ延在する凸部１９からなる嵌合部を有している。周方向へ突出する各嵌合部１９は、各嵌合部２９Aと嵌入している。言い換えれば、凸部１９及び凹部２９Aは、互いにジョイントしている。図５６に示すように、ティース２１L、２１Rの周方向一方側の嵌合部は凹部２９Aからなり、そして、ティース２１L、２１Rの周方向他方側の嵌合部は凸部２９Bからなる。したがって、各ティースホルダ１a-１dの嵌合部は、ティース２１L、２１Rの凹部２９Aと嵌合する凸部１９と、ティース２１L、２１Rの凸部２９Bと嵌合する凹部とからなる。結局、互いに嵌合するティースホルダ１a-１dの嵌合部とティイース２１L、２１Rの嵌合部とは、ティース２１L、２１Rの径方向における延長及び短縮を禁止する。ティースホルダ１a-１dのリング部１０ａから突出するステータティース２１L、２１Rを支持するので、ステータティース２１L、２１Rの振動が制止される。
【００７６】
図５７は、周方向PHにおいて互いに隣接するU相巻線３U及びV相巻線３Vの端部近傍でのステータコア２A及びロータコア４Aの側面を示す部分展開図である。ステータコア２A、２Bの各々は、ステータティース２１L、２１Rの省略により、エンドスロット２０００Aをもつ。３U相巻線３Uのコイルエンド部３００Uと、V相巻線３Vのコイルエンド部３００Vとは、図５７に示されるようにエンドスロット２０００Aに収容されている。
【００７７】
図５８は、U相巻線３Uをもつステータコア２Aを示す軸方向横断面図である。円弧状又はリング状の巻線３Uは、絶縁層で被覆された銅テープで作られている。螺旋状に巻かれた銅テープは、ステータコア２Aの環状スロットに収容されている。銅テープ３１０の両端部３１１、３１２は各々、曲げられた後、径方向外側へ延在している。螺旋状に積層された銅テープ３１０は、高い占積率、優れた放熱能力、低い表皮効果を実現する。更に、巻回数の増加により、螺旋状の銅テープの直径は容易に縮小できるので、相巻線3Uは、ステータコア２Aの環状スロットに容易に収容されることができる。結局、ステータ巻線３Uは、従来の丸形導体線との比較において、高い電流密度と低い銅損とをもつことができる。それは、コンパクトな機械の実現を意味する。
【００７８】
図５９は、図５７に示される２つの相巻線３U、３Vをもつステータコア２A、２Bの周方向展開図である。図６０は、２つの相巻線３U、３Vの変形周方向展開図である。U相巻線３Uのコイルエンド３００は、内側部３Ua、中央部３Ub、外側部３Ucを有する。V相巻線３Vのコイルエンド３００は、内側部３Va、中央部３Vb、外側部３Vcを有する。図６０に示すように、コイルエンド３００の３つの部分は、隣接の２つのティース２１L、２１Rの間の異なるスペースに巻かれている。したがって、エンドスロット２０００Aは、短縮される。
【００７９】
ステータコアの他の変形が図６１に示される。図６１は、周方向タンデム構造をもつ二重３相TFIMの模式側面図である。ステータコア２A、２Bは、周方向へ順番に配列された６つのステータコア２U１、２V１、２W１、２U２、２V２、２W２を有している。６つの相巻線３U１-３W２は、６つのステータコア２U１、２V１、２W１、２U２、２V２、２W２に別々に巻かれている。これにより、この二重３相TFIMは、本出願人により国際出願されている９スイッチインバータ９により駆動されることができる。図６２は、スキューされたロータティース４１L、４１Rの周方向展開図である。
【００８０】
追加説明
本発明の他の様相が説明される。公知のTFMは、ステータコアのリング状のスロットに巻かれた単相巻線をもつ。ステータコアは、左ティース、右ティース及びヨーク部をもつ。このヨーク部は、左ティースと右ティースとを磁気的に接続する。単相巻線は、左ティースと右ティースとの間のスペースを移動コアの移動方向（長手方向）へ延在する。本発明のCTFMと従来のTFMとの違いは、斜めに延在する斜め部（２５L、２５R、４５L、４５R）の追加にある。この斜め部（２５L、２５R）は、軸方向に積み重ねられた又は螺旋巻きされた積層鋼板による横磁束モータ用コアを可能とする。下記に説明される特徴は、在来のTFMにより採用されることができる。
【００８１】
図１０は、横磁束誘導機械（TFIM)の始動トルクを発生するためにリラクタンスモードを採用することを示す。このアイデアは、公知のコア構造をもつ他のTFIMにより採用されることができる。図１１-図１３はそれぞれTFIMからなる２つの発電電動機を示す。所定の運転条件において、この２つのTFIMは、リレーのスパークを低減するために２つのTFIMに共通の３相電圧を印加した後、リレーにより直結される。この共通の３相電圧の周波数は、２つのTFIMの同期周波数の間の範囲内に制御される。このアイデアは、公知のコア構造をもつ他のTFIMにより採用されることができる。
【００８２】
図１４-図２７は、３つの二次巻線と整流器と３つの界磁巻線とを含むロータ回路をもつ３つのTFWRMを示す。これら二次巻線及び界磁巻線は、ロータコアのリング状のスロットに収容される。好適には、星形接続された３つの二次巻線は、直列接続された３つの界磁巻線に３相全波ダイオード整流器を通じて界磁電流を給電する。さらに、ステータコアに巻かれた一次界磁巻線が開示される。このアイデアは、公知のコア構造をもつ他のTFIMにより採用されることができる。この一次界磁巻線は、オルタネータや風力発電機のような横磁束発電機に好適である。
【００８３】
図３１-図３２は、周方向磁路を低減するための順次磁化工程を示す。図４８-図５１は、電力損失の増加無しにスイッチドリラクタンストルクと磁石トルクとの両方を同時発生可能なTFPMSRMを示す。このアイデアは、公知のコア構造をもつ他のTFIMにより採用されることができる。
【図１】
2013236412.tif 000003
【図２】
2013236412.tif 000004
【図３】
2013236412.tif 000005
【図４】
2013236412.tif 000006
【図５】
2013236412.tif 000007
【図６】
2013236412.tif 000008
【図７】
2013236412.tif 000009
【図８】
2013236412.tif 000010
【図９】
2013236412.tif 000011
【図１０】
2013236412.tif 000012
【図１１】
2013236412.tif 000013
【図１２】
2013236412.tif 000014
【図１３】
2013236412.tif 000015
【図１４】
2013236412.tif 000016
【図１５】
2013236412.tif 000017
【図１６】
2013236412.tif 000018
【図１７】
2013236412.tif 000019
【図１８】
2013236412.tif 000020
【図１９】
2013236412.tif 000021
【図２０】
2013236412.tif 000022
【図２１】
2013236412.tif 000023
【図２２】
2013236412.tif 000024
【図２３】
2013236412.tif 000025
【図２４】
2013236412.tif 000026
【図２５】
2013236412.tif 000027
【図２６】
2013236412.tif 000028
【図２７】
2013236412.tif 000029
【図２８】
2013236412.tif 000030
【図２９】
2013236412.tif 000031
【図３０】
2013236412.tif 000032
【図３１】
2013236412.tif 000033
【図３２】
2013236412.tif 000034
【図３３】
2013236412.tif 000035
【図３４】
2013236412.tif 000036
【図３５】
2013236412.tif 000037
【図３６】
2013236412.tif 000038
【図３７】
2013236412.tif 000039
【図３８】
2013236412.tif 000040
【図３９】
2013236412.tif 000041
【図４０】
2013236412.tif 000042
【図４１】
2013236412.tif 000043
【図４２】
2013236412.tif 000044
【図４３】
2013236412.tif 000045
【図４４】
2013236412.tif 000046
【図４５】
2013236412.tif 000047
【図４６】
2013236412.tif 000048
【図４７】
2013236412.tif 000049
【図４８】
2013236412.tif 000050
【図４９】
2013236412.tif 000051
【図５０】
2013236412.tif 000052
【図５１】
2013236412.tif 000053
【図５２】
2013236412.tif 000054
【図５３】
2013236412.tif 000055
【図５４】
2013236412.tif 000056
【図５５】
2013236412.tif 000057
【図５６】
2013236412.tif 000058
【図５７】
2013236412.tif 000059
【図５８】
2013236412.tif 000060
【図５９】
2013236412.tif 000061
【図６０】
2013236412.tif 000062
【図６１】
2013236412.tif 000063
【図６２】
2013236412.tif 000064